(57)【要約】【課題】ワイヤ駆動装置の配設位置のために車室内スペースが狭くなる難点を解消でき、かつガイドレールの上下寸法を長くとる必要なく、ワイヤ駆動装置のドア下端の配置スペースの確保が容易に行えるワイヤドラム式のウインドウレギュレータを提供する。【解決手段】ガイドレール３の下端に一端が固定され、他端がガイドレール３の下端から側方に向けて延伸された取付用ベース１１を設け、取付用ベース１１の一端部にガイドレール３の下端に臨ませてワイヤ方向変換部材６が配設され、取付用ベース１１の他端部にワイヤ駆動装置７が配設される。ワイヤ方向変換部材６は、ガイドレール３の長手方向に沿って移動する２本のワイヤ４ａ、４ｂの移動方向を側方に配設されたドラム９へとそれぞれ変向する厚み方向における上下の方向変換ガイド溝２７、２８を備える。【選択図】図１
2010150762.tif 000002
【特許請求の範囲】
【請求項１】
ガイドレールの上端側に軸支されたワイヤ方向変換用プーリと、
前記ガイドレールの下端側近傍に配置されたワイヤ方向変換部材と、
前記ワイヤ方向変換用プーリと前記ワイヤ方向変換部材との間に配置されたワイヤを前記ガイドレールに沿って昇降させるワイヤ駆動装置とを有し、
前記ワイヤ駆動装置による駆動に伴ってウインドウガラスを昇降させるワイヤドラム式のウインドウレギュレータにおいて、
一端が前記ガイドレールの下端に固定され、他端が前記ガイドレールの下端から側方に向けて延伸された取付用ベースを設け、
前記取付用ベースの前記一端に前記ワイヤ方向変換部材を、前記取付用ベースの他端に前記ワイヤ駆動装置を配設した、
ことを特徴とするワイヤドラム式のウインドウレギュレータ。
【請求項２】
長手方向がウインドウガラスの昇降方向と合致するように配置されたガイドレールと、
前記ガイドレールの上端側に軸支されたワイヤ方向変換用プーリと、
前記ガイドレールの下端側近傍に配設されたワイヤ方向変換部材と、
正逆両方向に回転可能なモータと前記モータにより回転駆動されるドラムとからなるワイヤ駆動装置と、
前記ガイドレールに案内されて昇降すると共に前記ウインドウガラスを保持するキャリアプレートと、
前記ドラムに巻回されると共に前記ワイヤ方向変換用プーリ及び前記ワイヤ方向変換部材に巻き掛けられ、前記キャリアプレートを牽引する前記ワイヤとを有し、
前記モータにより前記ドラムを回転させることにより、前記ワイヤを介して前記キャリアプレートを前記ガイドレールの長手方向に移動させ、前記ウインドウガラスを昇降させるワイヤドラム式のウインドウレギュレータにおいて、
前記ガイドレールの下端に一端が固定され、他端が前記ガイドレールの下端から側方に向けて延伸された取付用ベースを設け、
前記取付用ベースの一端部に前記ガイドレールの下端に臨ませて前記ワイヤ方向変換部材が配設され、前記取付用ベースの他端部に前記ワイヤ駆動装置が配設された、
ことを特徴とするワイヤドラム式のウインドウレギュレータ。
【請求項３】
前記ワイヤ方向変換部材は、
前記ガイドレールの長手方向に沿って移動する２本のワイヤの移動方向を側方に配設された前記ワイヤ駆動装置のドラムへとそれぞれ変向する厚み方向における上下の方向変換ガイド溝を備えた、
ことを特徴とする請求項１又は２に記載のワイヤドラム式のウインドウレギュレータ。
【請求項４】
前記ワイヤ方向変換部材は、中央部に設けられた挿通孔と、下方に向けて突出された回転止め用突起とを有し、
前記ワイヤ方向変換部材が、前記取付用ベースの上面に配置され、前記挿通孔に挿通されたピンを介して前記取付用ベースにカシメ止めされると共に、前記回転止め用突起の前記取付用ベースへの係合により前記ピン回りの回転止めがなされた、
ことを特徴とする請求項３に記載のワイヤドラム式のウインドウレギュレータ。
【発明の詳細な説明】
【技術分野】
【０００１】
本発明は、車両用ウインドウガラスを昇降させるワイヤドラム式のウインドウレギュレータに関する。
【背景技術】
【０００２】
従来、一般的なワイヤドラム式のウインドウレギュレータは、例えば、特許文献１及び特許文献２に開示されており、長手方向がガラスの昇降方向と合致するように配置されたガイドレールと、正逆両方向に回転可能なモータとモータにより回転駆動されるドラムとを含んで構成されたワイヤ駆動装置（或いは、ケーブル駆動装置）と、ガイドレールに案内されて昇降すると共にウインドウガラスに固着されたスライダベース（或いはキャリアプレート）と、ガイドレールの上端側に軸支されたプーリ（定滑車）と、ガイドレールの下端側に軸支されたプーリ（定滑車）と、ドラムに巻回されると共に上側のプーリ及び下側のプーリに巻き掛けられ、スライダベースを牽引するワイヤとを有し、モータによりドラムを回転させることにより、ワイヤを介してスライダベースをガイドレールの長手方向に移動させ、ウインドウガラスを昇降させるものである。また、特許文献１及び特許文献２に開示されているワイヤドラム式のウインドウレギュレータでは、ワイヤ駆動装置がガイドレールの中間部の側方に配置されており、ガイドレール及びワイヤ駆動装置はドアインナパネルに取り付けられている。
【０００３】
また、ケーブル駆動装置をガイドレールの下端に固定した下端駆動方式のウインドウレギュレータが特許文献３に開示されている。特許文献３（段落［０００５］参照）には、下端駆動方式のウインドレギュレータは、ケーブル駆動装置をガイドレールとは別個に設けるタイプのウインドレギュレータ（例えば、特許文献１、２参照）に比して上下寸法が長くなるが、アウターケーシング（アウタチューブ）が不要になり、ガイドレールの下端側の方向転換部材が不要になり、また、自動車のドアのインナーパネルへの取り付け個所も少ないことが利点として開示されている。
【０００４】
【特許文献１】特許第３７４９４３０号公報
【特許文献２】特開２００２−２６６５５３号公報（図８）
【特許文献３】特開２００８−１９６２０４号公報
【発明の開示】
【発明が解決しようとする課題】
【０００５】
特許文献１及び特許文献２のワイヤドラム式のウインドウレギュレータのように、ワイヤ駆動装置がガイドレールの中間部の側方に配置されている構成では、ワイヤ駆動装置がウインドウガラスの昇降動作の障害とならないようにするために、ウインドウガラスとキャリアプレートをドアインナパネルとドアアウタパネルとの間のドアアウタパネルに対面させて配置し、ワイヤ駆動装置及びガイドレールをドアインナパネルの外面に固定していたため、ワイヤ駆動装置が車室内に向けて張り出すため、インナドアパネルがその分車室内に向けて張り出す結果、車室内スペースが狭くなってしまう難点があった。
【０００６】
特許文献３のワイヤドラム式のウインドウレギュレータのように、ケーブル駆動装置がガイドレールの下端に固定した構造では、ケーブル駆動装置が障害となってキャリアプレートをガイドレールの下端まで下げることができないので、ウインドウガラスの昇降ストロークに合うようにガイドレールの上下寸法を長くとる必要があり、ケーブル駆動装置のドア下端の配置スペースの確保が困難となる難点がある。
【０００７】
そこで、本発明は、上述の従来技術の不具合を解消することを課題とするものであり、ワイヤ駆動装置の配設位置のために車室内スペースが狭くなってしまう難点を解消でき、かつガイドレールの上下寸法を長くとる必要なく、ワイヤ駆動装置のドア下端の配置スペースの確保が容易に行え、モータのレイアウトの自由度が広がるワイヤドラム式のウインドウレギュレータを提供することを目的とする。
【課題を解決するための手段】
【０００８】
請求項１に係るワイヤドラム式のウインドウレギュレータは、ガイドレールの上端側に軸支されたワイヤ方向変換用プーリと、前記ガイドレールの下端側近傍に配置されたワイヤ方向変換部材と、前記ワイヤ方向変換用プーリと前記ワイヤ方向変換部材との間に配置されたワイヤを前記ガイドレールに沿って昇降させるワイヤ駆動装置とを有し、前記ワイヤ駆動装置による駆動に伴ってウインドウガラスを昇降させるものであって、上記課題を解決するために、一端が前記ガイドレールの下端に固定され、他端が前記ガイドレールの下端から側方に向けて延伸された取付用ベースを設け、前記取付用ベースの前記一端に前記ワイヤ方向変換部材を、前記取付用ベースの他端に前記ワイヤ駆動装置を配設したことを特徴とする。
【０００９】
請求項２に係るワイヤドラム式のウインドウレギュレータは、長手方向がウインドウガラスの昇降方向と合致するように配置されたガイドレールと、前記ガイドレールの上端側に軸支されたワイヤ方向変換用プーリと、前記ガイドレールの下端側に配設されたワイヤ方向変換部材と、正逆両方向に回転可能なモータと前記モータにより回転駆動されるドラムとからなるワイヤ駆動装置と、前記ガイドレールに案内されて昇降すると共に前記ウインドウガラスを保持するキャリアプレートと、前記ドラムに巻回されると共に前記ワイヤ方向変換用プーリ及び前記ワイヤ方向変換部材に巻き掛けられ、前記キャリアプレートを牽引する前記ワイヤとを有し、前記モータにより前記ドラムを回転させることにより、前記ワイヤを介して前記キャリアプレートを前記ガイドレールの長手方向に移動させ、前記ウインドウガラスを昇降させるものであって、上記課題を解決するために、前記ガイドレールの下端に一端が固定され、他端が前記ガイドレールの下端から側方に向けて延伸された取付用ベースを設け、前記取付用ベースの一端部に前記ガイドレールの下端に臨ませて前記ワイヤ方向変換部材が配設され、前記取付用ベースの他端部に前記ワイヤ駆動装置が配設されたことを特徴とする。
【００１０】
請求項３に係るワイヤドラム式のウインドウレギュレータは、請求項１又は２に係るワイヤドラム式のウインドウレギュレータにおいて、前記ワイヤ方向変換部材が、前記ガイドレールの長手方向に沿って移動する２本のワイヤの移動方向を側方に配設された前記ワイヤ駆動装置のドラムへとそれぞれ変向する厚み方向おける上下の方向変換ガイド溝を備えたことを特徴とするものである。
【００１１】
請求項４に係るワイヤドラム式のウインドウレギュレータは、請求項３に係るワイヤドラム式のウインドウレギュレータにおいて、前記ワイヤ方向変換部材は、中央部に設けられた挿通孔と、下方に向けて突出された回転止め用突起とを有し、前記ワイヤ方向変換部材が、前記取付用ベースの上面に配置され、前記挿通孔に挿通されたピンを介して前記取付用ベースにカシメ止めされると共に、前記回転止め用突起の前記取付用ベースへの係合により前記ピン回りの回転止めがなされたことを特徴とするものである。
【発明の効果】
【００１２】
請求項１又は請求項２に係るワイヤドラム式のウインドウレギュレータによれば、ドラムとモータとからなるワイヤ駆動装置が、ガイドレールの下端に一端が固定されると共にガイドレールの下端から側方に向けて延伸された取付用ベースの他端に配設されているので、ワイヤ駆動装置が車室内に向けて張り出すことがなく、車室内スペースが狭くなってしまう難点を解消できる。
【００１３】
また、ワイヤ駆動装置の配設位置がガイドレールの下端に対して離間して配置されるので、キャリアプレートの下降動作の障害にならず、キャリアプレートをガイドレールの下端まで下げることができるので、ウインドウガラスの昇降ストロークに合うようにガイドレールの上下寸法を長くとる必要がない。
【００１４】
さらに、取付用ベースの一端部にガイドレールの下端に臨ませてワイヤ方向変換部材が配設された構成としたので、ワイヤ駆動装置の配設位置を任意に設定することが可能となり、ワイヤ駆動装置のドア下端の配置スペースの確保が容易に行え、モータのレイアウトの自由度が広がる。
【００１５】
請求項３に係るワイヤドラム式のウインドウレギュレータによれば、ワイヤ方向変換部材は、ガイドレールの長手方向に沿って移動する２本のワイヤの移動方向を側方に配設されたドラムへとそれぞれ変向する厚み方向における上下の方向変換ガイド溝を備えた構成により、２本のワイヤの移動方向を別々の方向変換部材を設けてそれぞれ行う必要がなく、１つの方向変換部材で２本のワイヤの移動方向を変向することができるので、部品点数を削減でき、組み立てに要する時間も短くて済む。
【００１６】
請求項４に係るワイヤドラム式のウインドウレギュレータによれば、方向変換部材を取付用ベースの上面に安定して取り付けることができ、ワイヤの移動動作により方向変換部材がピン回りにふらつくことがなく、ワイヤの移動動作が安定する。
【発明を実施するための最良の形態】
【００１７】
以下、本発明の実施の形態を図面を参照して説明する。図１は本発明の実施形態に係るワイヤドラム式のウインドウレギュレータを図示しないドアの外側から示す正面図であり、図２は図１のワイヤドラム式のウインドウレギュレータの側面図である。なお、図２において、左手側がドアインナパネル側（図示せず）であり、右手側がドアアウタパネル側（図示せず）である。
【００１８】
図１、２において、本実施形態のワイヤドラム式のウインドウレギュレータ１は、車両用のウインドウガラス２を昇降させるものであり、長手方向がウインドウガラス２の昇降方向と合致するように配置されたガイドレール３と、ガイドレール３の上端部に軸支されたワイヤ４の方向変換用のプーリ５と、ガイドレール３の下端側近傍に配設されたワイヤ４のワイヤ方向変換部材としてのワイヤ方向変換ガイド６と、正逆両方向に回転可能なモータ８とモータ８により回転駆動されるドラム９とからなるワイヤ駆動装置７と、ガイドレール３に案内されて昇降すると共にウインドウガラス２を保持するキャリアプレート１０とを備える。
【００１９】
図２に示すように、ガイドレール３は、ウインドウガラス２の湾曲面に沿うように、長手方向において弓状に湾曲した形状とされ、図１はガイドレール３の凸面側から見た状態を示している。図１に示すように、ガイドレール３の上端には上端プレート１２が、例えば、溶接により固定され、プーリ５は上端プレート１２の前方に配置される。上端プレート１２の両側には、ガイドレール３の上端部の両側方に向けてそれぞれ折曲した脚片１３、１３が形成され、ガイドレール３の上端部は脚片１３、１３を介してドアインナパネル（図示せず）に取り付けられる。
【００２０】
ガイドレール３の長手方向の中間部の一側には、側方に張り出して支持板１４が取り付けられ、支持板１４の前面一側にはワイヤガイド部材１５が設けられ、ワイヤガイド部材１５の前面には、ガイドレール３の長手方向に沿って前方に開放されたワイヤガイド溝１６が設けられ、ワイヤガイド溝１６には、ドラム９から繰り出された一方のワイヤ４ａが挿入されてガイドされている。
【００２１】
ガイドレール３の幅方向の両側縁には長手方向に亘って側方に向かって張り出したガイドフランジ１７、１７がそれぞれ形成され、ガイドレール３の前方にはキャリアプレート１０が配置され、ガイドフランジ１７、１７にはキャリアプレート１０の中間部分がガイドレール３の長手方向に移動自在に係合されている。
【００２２】
キャリアプレート１０の前面には、ガラスホルダ（図示せず）を介してウインドウガラス２の下端が支持され、図２に示すように、ウインドウガラス２はガイドレール３よりもドアアウタパネル側に配置されている。
【００２３】
図１に示すように、ガイドレール３の長手方向の下端部には、下端及び一側を切り欠いた切欠部２０が設けられ、ガイドレール３の下端部の裏面には、取付用ベース１１が、例えば、溶接により固定されている。取付用ベース１１は、ガイドレール３の下端に一端が固定されると共に、他端がガイドレール３の下端から一側方に向けて延伸されている。取付用ベース１１の一端部には、ガイドレール３の下端の切欠部２０に臨む位置にワイヤ方向変換ガイド６が配設されると共に、取付用ベース１１の他端部にモータ８及びドラム９よりなるワイヤ駆動装置７が配設されている。
【００２４】
図２に示すように、モータ８はブラケット（図示せず）を介して取付用ベース１１の他端部裏面に取り付けられ、ドラム９はドラムブラケット２１を介して取付用ベース１１の他端部前面に取り付けられている。
【００２５】
図３はワイヤ方向変換ガイド６の拡大正面図であり、図４は図３のワイヤ方向変換ガイド６の斜視図であり、図５は図３のワイヤ方向変換ガイド６の平面図であり、図６は図３のワイヤ方向変換ガイド６の底面図であり、図７は図３のワイヤ方向変換ガイド６の左側面図及び右側面図である。
【００２６】
ワイヤ方向変換ガイド６は、合成樹脂製よりなり、正面中央部には前後方向に向けて挿通孔２４が設けられ（図３参照）、上面の中央寄りと一側（図４左側）とにそれぞれワイヤ挿通口２５、２６が設けられている（図４参照）。
【００２７】
図６に示すように、ワイヤ方向変換ガイド６の底面には、中央寄りに形成されたワイヤ挿通口２５に連通してガイドレール３の長手方向に沿って移動する一方のワイヤ４ａの移動方向を側方に配設されたドラム９へと変向する厚み方向における上側の円弧状の方向変換ガイド溝２７と、一側に形成されたワイヤ挿通口２６に連通してガイドレール３の長手方向に沿って移動する他方のワイヤ４ｂの移動方向を側方に配設されたドラム９へと変向する厚み方向における下側の円弧状の方向変換ガイド溝２８とが設けられている。
【００２８】
また、ワイヤ方向変換ガイド６の底面の一側の中央部と底面の他側の中央部とにそれぞれ下方に向けて突出された回転止め用突起２９、３０がそれぞれ設けられ（図５、図６、図７参照）、正面の下端の他側に、基端を他側方に向けて延伸されて先端を下方に向けて折曲形成された当接折曲片３１が設けられている［図４、図６、図７（ａ）参照］。
【００２９】
ワイヤ４は、ドラム９の外周に形成された螺旋溝（図示せず、従来と同様）に巻回されると共にドラム９から繰り出された一方のワイヤ４ａがワイヤ方向変換ガイド６の上側の方向変換ガイド溝２７に挿入されて巻き掛けられ、ワイヤ挿通口２５を通じて上方に変向され（図３〜図６）、さらに、ワイヤガイド部材１５のワイヤガイド溝１６に挿入されてぶれ止めされ、プーリ５に巻き掛けられて下方に変向され、ワイヤ４ａの一端がキャリアプレート１０に固定されている（図１参照）。
【００３０】
一方、ドラム９から繰り出された他方のワイヤ４ｂがワイヤ方向変換ガイド６の下側の方向変換ガイド溝２８に挿入されて巻き掛けられ、ワイヤ挿通口２６を通じて上方に変向され（図３〜図６）、ワイヤ４ｂの他端がキャリアプレート１０に固定されている（図１参照）。
【００３１】
ワイヤ方向変換ガイド６は、取付用ベース１１の上面に配置され、回転止め用突起２９、３０が取付用ベース１１に形成された係合部（図示せず）に係合されることにより回転止めがなされ、さらに、正面の下端の他側に折曲形成された当接折曲片３１の側面が、ガイドレール３の切欠部２０に沿って取付用ベース１１に形成された立上り壁３２に当接されて位置決めされる。さらに、ワイヤ方向変換ガイド６は、挿通孔２４に挿通されたピン３３を介して取付用ベース１１にカシメ止めされる。
【００３２】
ウインドウレギュレータ１は、従来と同様、モータ８によりドラム９を回転させることにより、ワイヤ４を介してキャリアプレート１０をガイドレール３の長手方向に移動させ、ウインドウガラス２を昇降させるものである。
【００３３】
以上のように構成された実施形態のワイヤドラム式のウインドウレギュレータ１によれば、ドラム９とモータ８とからなるワイヤ駆動装置７が、ガイドレール３の下端に一端が固定されると共にガイドレール３の下端から側方に向けて延伸された取付用ベース１１の他端に配設されているので、ワイヤ駆動装置７が車室内に向けて張り出すことがなく、車室内スペースが狭くなってしまう難点を解消できる。
【００３４】
また、ワイヤ駆動装置７の配設位置がガイドレール３の下端に対して離間して配置されるので、キャリアプレート１０の下降動作の障害にならず、キャリアプレート１０をガイドレール３の下端まで下げることができる（図１において鎖線で示すウインドウガラス２参照）。よって、ウインドウガラス２の昇降ストロークに合うようにガイドレール３の上下寸法を長くとる必要がない。
【００３５】
さらに、取付用ベース１１の一端部にガイドレール３の下端に臨ませてワイヤ方向変換ガイド６が配設された構成としたので、ワイヤ駆動装置７の配設位置を任意に設定することが可能となり、ワイヤ駆動装置７のドア下端の配置スペースの確保が容易に行え、モータ８のレイアウトの自由度が広がる。
【００３６】
ワイヤ方向変換ガイド６は、ガイドレール３の長手方向に沿って移動する２本のワイヤ４ａ、４ｂの移動方向を側方に配設されたドラム９へとそれぞれ変向する厚み方向における上下の方向変換ガイド溝２７、２８を備えた構成により、２本のワイヤ４ａ、４ｂの移動方向を別々の方向変換部材を設けてそれぞれ行う必要がなく、１つのワイヤ方向変換ガイド６のみで２本のワイヤ４ａ、４ｂの移動方向を変向することができるので、部品点数を削減でき、組み立てに要する時間も短くて済む。
【００３７】
また、ワイヤ方向変換ガイド６が、中央部に設けられた挿通孔２４と、下方に向けて突出された回転止め用突起２９、３０とを有し、ワイヤ方向変換ガイド６が取付用ベース１１の上面に配置され、挿通孔２４に挿通されたピン３３を介して取付用ベース１１にカシメ止めされると共に、回転止め用突起２９、３０の取付用ベース１１への係合によりピン回りの回転止めがなされるので、ワイヤ方向変換ガイド６を取付用ベース１１の上面に安定して取り付けることができ、ワイヤ４ａ、４ｂの移動動作によりワイヤ方向変換ガイド６がピン回りにふらつくことがなく、ワイヤ４ａ、４ｂの移動動作が安定する。
【図面の簡単な説明】
【００３８】
【図１】本発明の実施形態に係るワイヤドラム式のウインドウレギュレータを図示しないドアの外側から示す正面図である。
【図２】図１のウインドウレギュレータの側面図である。
【図３】ワイヤ方向変換ガイド（方向変換部材）の拡大正面図である。
【図４】図３のワイヤ方向変換ガイドの斜視図である。
【図５】図３のワイヤ方向変換ガイドの平面図である。
【図６】図３のワイヤ方向変換ガイドの底面図である。
【図７】図３のワイヤ方向変換ガイドの左側面図及び右側面図である。
【符号の説明】
【００３９】
１  ウインドウレギュレータ
２  ウインドウガラス
３  ガイドレール
４  ワイヤ
５  プーリ
６  ワイヤ方向変換ガイド
７  ワイヤ駆動装置
８  モータ
９  ドラム
１０  キャリアプレート
１１  取付用ベース
１２  上端プレート
１３  脚片
１４  支持板
１５  ワイヤガイド部材
１６  ワイヤガイド溝
１７  ガイドフランジ
２０  切欠部
２１  ドラムブラケット
２４  挿通孔
２５  ワイヤ挿通口
２６  ワイヤ挿通口
２７  方向変換ガイド溝
２８  方向変換ガイド溝
２９  回転止め用突起
３０  回転止め用突起
３１  当接折曲片
３２  立上り壁
３３  ピン
【図１】
2010150762.tif 000003
【図２】
2010150762.tif 000004
【図３】
2010150762.tif 000005
【図４】
2010150762.tif 000006
【図５】
2010150762.tif 000007
【図６】
2010150762.tif 000008
【図７】
2010150762.tif 000009